(57)【要約】【課題】安全に使用することができる装飾用布保持具を提供する。【解決手段】本発明は、首に巻いて使用する装飾用布の両端部を挿通させるための挿通孔３を形成したリング状部材２から成る装飾用布保持具１である。前記リング状部材２を柔軟性を有する軟質部材で構成する。さらに、リング状部材２の周方向の一部を分断して全体として略Ｃ字型に形成した。また、リング状部材２の分断箇所における両端部２ａ，２ｂのエッジＲ１〜Ｒ４を、曲面状に形成することが好ましい。【選択図】図１
2010142484.tif 000002
【特許請求の範囲】
【請求項１】
首に巻いて使用する装飾用布の両端部を挿通させるための挿通孔を形成したリング状部材から成る装飾用布保持具であって、
前記リング状部材を柔軟性を有する軟質部材で構成すると共に、前記リング状部材の周方向の一部を分断して全体として略Ｃ字型に形成したことを特徴とする装飾用布保持具。
【請求項２】
前記リング状部材の分断箇所における両端部のエッジを、曲面状に形成した請求項１に記載の装飾用布保持具。
【請求項３】
前記リング状部材を、柔軟性を有する樹脂によって構成した請求項１又は２に記載の装飾用布保持具。
【請求項４】
前記装飾用布をバンダナとした請求項１から３のいずれか１項に記載の装飾用布保持具。
【発明の詳細な説明】
【技術分野】
【０００１】
本発明は、首に巻いて使用するバンダナやスカーフ等の装飾用布を保持する装飾用布保持具に関する。
【背景技術】
【０００２】
バンダナやスカーフ等の装飾用布を首に巻いて使用する際、それら装飾用布の両端部を保持する保持具が知られている。例えば、下記特許文献１には、装飾用布の両端部を挿通する挿通孔が形成されたリング状の保持具が開示されている。
【特許文献１】実登３００９４２８号公報
【発明の開示】
【発明が解決しようとする課題】
【０００３】
しかしながら、上記特許文献１に示す保持具によって装飾用布が保持された状態で、装飾用布の両端部が引っ張られると、装飾用布によって首が締め付けられる虞がある。
【０００４】
そこで、本発明は、斯かる実情に鑑み、安全に使用することができる装飾用布保持具を提供する。
【課題を解決するための手段】
【０００５】
請求項１の発明は、首に巻いて使用する装飾用布の両端部を挿通させるための挿通孔を形成したリング状部材から成る装飾用布保持具であって、前記リング状部材を柔軟性を有する軟質部材で構成すると共に、前記リング状部材の周方向の一部を分断して全体として略Ｃ字型に形成したものである。
【０００６】
装飾用布を首に巻き、その装飾用布の両端部をリング状部材の挿通孔に挿通させることにより、装飾用布をリング状部材によって保持することができる。このように装飾用布がリング状部材によって保持された状態で、装飾用布の両端部が互いに離れる方向に引っ張られた場合、リング状部材は径方向の外側への押圧力を受ける。この押圧力によって、リング状部材は径方向に押し広げられるように変形し、リング状部材の分断箇所において大きく開口する。そして、リング状部材の大きく開口した箇所から装飾用布が離脱するため、リング状部材を装飾用布から簡単に外すことができる。
【０００７】
請求項２の発明は、請求項１に記載の装飾用布保持具において、前記リング状部材の分断箇所における両端部のエッジを、曲面状に形成したものである。
【０００８】
リング状部材の両端部のエッジを曲面状に形成しているため、装飾用布がリング状部材から離脱する際、エッジが装飾用布に引っ掛かるのを防止することができる。これにより、装飾用布のリング状部材からの離脱をスムーズに行うことができる。また、エッジが装飾用布に接触することによる装飾用布の傷付き等も防止することができる。
【０００９】
請求項３の発明は、請求項１又は２に記載の装飾用布保持具において、前記リング状部材を、柔軟性を有する樹脂によって構成したものである。
【００１０】
リング状部材の材料として、柔軟性を有する樹脂を適用可能である。
【００１１】
請求項４の発明は、請求項１から３のいずれか１項に記載の装飾用布保持具において、前記装飾用布をバンダナとしたものである。
【００１２】
装飾用布として、バンダナを適用可能である。
【発明の効果】
【００１３】
本発明の装飾用布保持具によれば、装飾用布の両端部が互いに離れる方向に引っ張られたとしても、リング状部材を装飾用布から簡単に外すことができる。これにより、装飾用布がリング状部材によって保持された状態から解放することができるので、装飾用布によって首が締め付けられるのを防止することができる。このように、本発明によれば、簡単な構成によって安全に使用することができる装飾用布保持具を提供することが可能である。
【発明を実施するための最良の形態】
【００１４】
以下、添付の図面に基づいて、本発明の装飾用布保持具（本発明者はこれを「安心リング」と呼称する）の実施形態を説明する。
【００１５】
図１は、本発明の装飾用布保持具の平面図、図２は前記装飾用布保持具の側面図である。図１及び図２に示すように、本発明の装飾用布保持具１は、挿通孔３を有するリング状部材２を備える。リング状部材２は、周方向の一部が分断され、全体として略Ｃ字型に形成されている。リング状部材２の分断箇所における両端部２ａ，２ｂのエッジＲ１〜Ｒ８は、曲面状に形成されている。例えば、各エッジＲ１〜Ｒ８は、直径１ｍｍの円弧状断面に形成されている。また、リング状部材２の両端部２ａ，２ｂは、互いに接触していてもよいし、互いに非接触となっていてもよい。
【００１６】
本実施形態では、リング状部材２を、ポリカーボネート樹脂で構成している。ただし、それ以外の柔軟性を有するプラスチック等の樹脂材料、あるいはその他の柔軟性を有する軟質部材も、リング状部材２に適用可能である。特に、リング状部材２は、弾性を有する樹脂又はゴム等の弾性部材で構成することが好ましい。
【００１７】
また、意匠性を向上させるために、リング状部材２の外周面に装飾を施して意匠面を構成してもよい。あるいは、リング状部材２に装飾部材を取り付けることも可能である。また、リング状部材２を透明な材質で構成してもよいし、リング状部材２に着色してもよい。
【００１８】
図３に、本発明の装飾用布保持具１の使用状態を示す。
図３に示すように、バンダナやスカーフ等の装飾用布４を首に巻き、その装飾用布４の両端部４ａ，４ｂをリング状部材２の挿通孔３に挿通することによって、リング状部材２で装飾用布４の両端部４ａ，４ｂを束ねて保持することができる。
【００１９】
上記のように首に巻いた装飾用布４を本発明の装飾用布保持部１で保持した状態で、装飾用布４の両端部４ａ，４ｂが互いに離れる方向に引っ張られた場合、リング状部材２は径方向の外側への押圧力を受ける。図４に示すように、前記押圧力によって、リング状部材２は径方向に押し広げられるように変形し、リング状部材２の分断箇所において大きく開口する。そして、図５に示すように、リング状部材２の大きく開口した箇所（図５の開口部５）から装飾用布４が離脱する。
【００２０】
このように、本発明の装飾用布保持具によれば、装飾用布４の両端部４ａ，４ｂが互いに離れる方向に引っ張られたとしても、リング状部材２を装飾用布４から簡単に外すことができる。これにより、装飾用布４がリング状部材２によって保持された状態から解放されるので、装飾用布４によって首が締め付けられるのを防止することができる。
【００２１】
また、リング状部材２の両端部２ａ，２ｂのエッジＲ１〜Ｒ８を曲面状に形成しているため、装飾用布４がリング状部材２から離脱する際、エッジＲ１〜Ｒ８が装飾用布４に引っ掛かるのを防止することができる。これにより、装飾用布４のリング状部材２からの離脱をスムーズに行うことができる。また、エッジＲ１〜Ｒ８が装飾用布４に接触することによる装飾用布４の傷付き等も防止される。
【００２２】
また、リング状部材２が弾性を有する樹脂やゴム等によって構成されている場合は、リング状部材２が、装飾用布４から外れた後、元の形状に復帰することができるので、本発明の装飾用布保持具を繰り返し使用することができる。
【００２３】
以上、本発明の実施の形態について説明したが、本発明は上述の実施形態に限定されるものではなく、本発明の要旨を逸脱しない範囲で種々の変更を加え得ることは勿論である。図１に示すリング状部材２の形状は円形状の略Ｃ字型に形成されているが、円形以外に、楕円形や矩形、あるいはそれ以外の形状に形成することも可能である。
【図面の簡単な説明】
【００２４】
【図１】本発明の装飾用布保持具の平面図である。
【図２】前記装飾用布保持具の側面図である。
【図３】前記装飾用布保持具の使用状態を示す図である。
【図４】前記装飾用布保持具の作用を説明するための図である。
【図５】前記装飾用布保持具の作用を説明するための図である。
【符号の説明】
【００２５】
１    装飾用布保持具
２    リング状部材
２ａ  端部
２ｂ  端部
３    挿通孔
４    装飾用布
４ａ  端部
４ｂ  端部
【図１】
2010142484.tif 000003
【図２】
2010142484.tif 000004
【図３】
2010142484.tif 000005
【図４】
2010142484.tif 000006
【図５】
2010142484.tif 000007